(57)【要約】【課題】従来のような油圧ポンプとモータとの回転軸の心合せ作業を省略することができ、カップリングの使用も必要なくなる油圧ポンプの提供。【解決手段】モータ４０のケーシング４２には蓋４３が組み付けられ、前記モータ４０の内部には回転軸４１が組み付けられ、前記回転軸４１は前記蓋４３に開設された貫通孔４３１を挿通して前記モータ４０の外部に突出し、その油圧ポンプジョイント５１が前記蓋４３に設けられ、前記回転軸４１が前記油圧ポンプジョイント５１に貫入され、前記回転軸４１には内回転子５２と外回転子５３が組み付けられ、前記油圧ポンプジョイント５１が前記油圧ポンプジョイント５１に被せられているカバー５４に液密される油圧ポンプにおいて、前記油圧ポンプジョイント５１と前記蓋４３とが一体成形され、前記回転軸４１は長さが油圧ポンプの内部まで挿入可能な長さであり、同時にモータと油圧ポンプとの回転軸とされる。【選択図】図３
0003149864.tif 000002
【実用新案登録請求の範囲】
【請求項１】
モータのケーシングには蓋が組み付けられており、前記モータの内部には回転軸が組み付けられており、前記回転軸は前記蓋に開設された貫通孔を挿通して前記モータの外部に突出しており、その油圧ポンプジョイントが前記蓋に設けられており、前記回転軸が前記油圧ポンプジョイントに貫入されており、前記回転軸には回転子が組み付けられており、前記油圧ポンプジョイントが前記油圧ポンプジョイントに被せられているカバーに液密される油圧ポンプにおいて、
前記油圧ポンプジョイントと前記蓋とが一体成形されたものであり、前記回転軸の長さは油圧ポンプの内部まで挿入可能な長さであり、前記回転軸が同時にモータと油圧ポンプとの回転軸とされることを特徴とする、油圧ポンプ。
【請求項２】
前記回転子は、内回転子と、外回転子と、を含むことを特徴とする、請求項１に記載の油圧ポンプ。
【請求項３】
前記油圧ポンプジョイントと前記蓋とは、鋳造によって一体成形されたものであることを特徴とする、請求項１に記載の油圧ポンプ。
【考案の詳細な説明】
【技術分野】
【０００１】
本考案は、油圧ポンプに係り、特に、油圧ポンプの内部に挿入されるモータの回転軸が同時に油圧ポンプの回転軸とされることにより、従来のような油圧ポンプとモータとの回転軸の心合せ作業を省略することができる油圧ポンプに関するものである。
【背景技術】
【０００２】
従来、台湾特許第９７２１１０２２号の「サイクロイド式流体ポンプ」が提案され、これは、本体と、外回転子と、回転軸と、内回転子と、少なくとも一つの軸受と、カバーと、を含み、前記本体には、軸穴が開設されており、オイル出入り口と連通する収容空間が設けられており、前記収容空間は、外部と連通しており、前記軸穴に対して偏心している。
【０００３】
前記外回転子は、前記収容空間と同心しており、前記収容空間内に回動自在に設けられており、前記外回転子には、前記本体の軸穴と同心する貫通孔が開設されている。
【０００４】
前記回転軸は、前記本体の軸穴に貫入されている。前記内回転子は、前記外回転子に合せて回転するとオイルを圧送することができ、前記回転軸が貫入されており、前記貫通孔に収容されており、前記回転軸の回転方向において、前記内回転子と前記回転軸とが互いに定位されている。
【０００５】
前記軸受には、前記回転軸が貫入されており、前記本体の前記収容空間の両側の少なくとも一側に定位されている。前記カバーは、前記本体の前記収容空間が開設された一端に被せられている。
【０００６】
しかしながら、上記のサイクロイド式流体ポンプによれば、次のような欠点があった。
従来の油圧ポンプは、図１に示すように、回転軸２には二つの組合平面２１、２２を加工することが必要であり、なお、モータ１の回転軸１１の端面には結合穴１１１を加工することも必要であり、結合穴１１１には組合平面１１２、１１３を有することが必要であり、回転軸１１に穴を開けることが困難であり、且つ開設される穴と回転軸１１との同心度を高くすることが難しいので、回転軸２が断裂し易く、そしてこれらの部材は熱処理が容易でなく、加工コストが高く、これらの部材を連接する構造の加工コストも高い。
【０００７】
上記の欠点を解決するために、図２に示すカップリング３が開発され、これは、モータの回転軸に軸連結器３１を設け、ポンプの回転軸に軸連結器３２を設け、軸連結器３１と軸連結器３２との対向面には、溝３１１と溝３１２とがそれぞれ開設されており、軸連結器３１と軸連結器３２との間には弾性子３３が設けられており、弾性子３３の凸部３３１は、軸連結器３１の凸部３１２と、軸連結器３２の凸部３２２と、の間に介在されており、弾性子３３により、モータの回転軸とポンプの回転軸とは、同心度が高くなくても、断裂し難く、しかし、カップリング３を別に増設することが必要であり、且つモータとポンプとの間のスペースが狭い場合には、カップリング３を設けることができない。
【先行技術文献】
【特許文献】
【０００８】
【特許文献１】台湾特許第９７２１１０２２号公報
【考案の概要】
【考案が解決しようとする課題】
【０００９】
本考案の主な目的は、油圧ポンプの内部に挿入されるモータの回転軸が同時に油圧ポンプの回転軸とされることにより、従来のような油圧ポンプとモータとの回転軸の心合せ作業を省略することができる油圧ポンプを提供することにある。
【００１０】
本考案の次の目的は、油圧ポンプの内部に挿入されるモータの回転軸が同時に油圧ポンプの回転軸とされることにより、従来のようにカップリングを設けることが必要なくなる油圧ポンプを提供することにある。
【課題を解決するための手段】
【００１１】
本考案の請求項１に記載の油圧ポンプによると、モータのケーシングには蓋が組み付けられており、前記モータの内部には回転軸が組み付けられており、前記回転軸は前記蓋に開設された貫通孔を挿通して前記モータの外部に突出しており、その油圧ポンプジョイントが前記蓋に設けられており、前記回転軸が前記油圧ポンプジョイントに貫入されており、前記回転軸には回転子が組み付けられており、前記油圧ポンプジョイントが前記油圧ポンプジョイントに被せられてるカバーに液密される油圧ポンプにおいて、前記油圧ポンプジョイントと前記蓋とが一体成形されたものであり、前記回転軸の長さは油圧ポンプの内部まで挿入可能な長さであり、前記回転軸が同時にモータと油圧ポンプとの回転軸とされることを特徴とする油圧ポンプである。
【００１２】
本考案の請求項２に記載の油圧ポンプによると、前記回転子は、内回転子と、外回転子と、を含んでもよい。
【００１３】
本考案の請求項３に記載の油圧ポンプによると、前記油圧ポンプジョイントと前記蓋とは、鋳造によって一体成形されたものである。
【考案の効果】
【００１４】
本考案の油圧ポンプによれば、次のような効果がある。
（１）油圧ポンプの内部に挿入されるモータの回転軸が同時に油圧ポンプの回転軸とされることにより、従来のような油圧ポンプとモータとの回転軸の心合せ作業を省略することができる。
【００１５】
（２）油圧ポンプの内部に挿入されるモータの回転軸が同時に油圧ポンプの回転軸とされることにより、従来のようにカップリングを設けることが必要なくなる。
【図面の簡単な説明】
【００１６】
【図１】従来の油圧ポンプの分解斜視図である。
【図２】従来の別の油圧ポンプの分解斜視図である。
【図３】本考案の実施例に係る油圧ポンプの分解斜視図である。
【図４】本考案の実施例に係る油圧ポンプの組合状態の模式図である。
【図５】本考案の実施例に係る油圧ポンプの組合状態の断面図である。
【考案を実施するための形態】
【００１７】
以下、本考案の実施の形態を図面に基づいて説明する。
まず、図３乃至図５を参照する。本考案の実施例に係る油圧ポンプは、モータ４０と、ポンプ本体５０と、を含む。
【００１８】
モータ４０は、回転軸４１と、ケーシング４２と、蓋４３と、を含む。
ポンプ本体５０は、油圧ポンプジョイント５１と、内回転子５２と、外回転子５２と、カバー５４と、を含む。
【００１９】
ケーシング４２には蓋４３が被せられており、回転軸４１は、モータ４０の内部に組み付けられており、蓋４３に開設された貫通孔４３１を挿通してモータの４０外部に突出しており、ポンプ本体５０の油圧ポンプジョイント５１が蓋４３に一体成形されており、且つ回転軸４１は、油圧ポンプジョイント５１に貫入されており、内回転子５２と外回転子５３とが組み付けられており、油圧ポンプジョイント５１が油圧ポンプジョイント５１に被せられているカバー５４に液密される。
【００２０】
油圧ポンプジョイント５１と蓋４３とは、鋳造によって一体成形されたものであり、油圧ポンプ５０の内部に挿入されるモータ４０の回転軸４１が同時に油圧ポンプ５０の回転軸とされるので、従来のような油圧ポンプ５０とモータ４０との回転軸の心合せ作業を省略することができ、生産コストを大幅に低減することができる。
【００２１】
油圧ポンプジョイント５１と蓋４３とは、鋳造によって一体成形されたものであり、油圧ポンプ５０の内部に挿入されるモータ４０の回転軸４１が同時に油圧ポンプ５０の回転軸とされるので、従来のようにカップリングを設けることが必要なくなり、全体の構造が簡素化になり、組付作業も容易になる。
【符号の説明】
【００２２】
１      モータ
２      回転軸
３      カップリング
１１    回転軸
２１    組合平面
２２    組合平面
３１    軸連結器
３２    軸連結器
３３    弾性子
４０    モータ
４１    回転軸
４２    ケーシング
４３    蓋
５０    ポンプ本体
５１    油圧ポンプジョイント
５２    内回転子
５３    外回転子
５４    カバー
１１１  結合穴
１１２  組合平面
１１３  組合平面
３１１  溝
３１２  凸部
３２１  溝
３２２  凸部
３３１  凸部
４３１  貫通孔
【図１】
0003149864.tif 000003
【図２】
0003149864.tif 000004
【図３】
0003149864.tif 000005
【図４】
0003149864.tif 000006
【図５】
0003149864.tif 000007